(57)【要約】【課題】簡素な構成で密閉性が確保され、しかもガタが少なく容易に組み立てのできるダクト装置及び加熱調理器を提供する。【解決手段】ダクトを構成する第１の板材２１の所定部と第２の板材の所定部２２を相互に重合させたときに、該重合部分に設けた係止手段３０が上記第１及び第２の板材相互を係止することによって上記ダクトの枠構造を保持するようにしたダクト装置であって、上記係止手段を、上記第１及び第２の板材の一方における対向する相手側の板材の方向に突出された半球状の凸部３１と、上記相手側の板材における上記凸部に対応する位置に該凸部を受け容れる如く凹設され、該凸部と互いに係合する半球状の凹部３２によって構成するようにしたものである。【選択図】図３
2012127521.tif 000002
【特許請求の範囲】
【請求項１】
ダクトを構成する第１の板材の所定部と第２の板材の所定部を相互に重合させたときに、該重合部分に設けた係止手段が上記第１及び第２の板材相互を係止することによって上記ダクトの枠構造を保持するようにしたダクト装置であって、上記係止手段を、上記第１及び第２の板材の一方における対向する相手側の板材の方向に突出された半球状の凸部と、上記相手側の板材における上記凸部に対応する位置に該凸部を受け容れる如く凹設され、該凸部と互いに係合する半球状の凹部によって構成したことを特徴とするダクト装置。
【請求項２】
上記凸部の内周面の半径と上記凹部の内周面の半径を互いに同一としてなることを特徴とする請求項１記載のダクト装置。
【請求項３】
上記第１の板材の重合部は、該重合部に連なる主面に対して該重合部との境界部で折曲された延出辺部で形成されてなり、上記第２の板材の重合部は上記第１の板材の上記主面と上記延出辺部の内角部に配設され、かつ先端が上記第１の板材の主面の背面に当接されていることを特徴とする請求項１または請求項２記載のダクト装置。
【請求項４】
加熱装置を有するロースターグリルの排気ダクトとして、上記請求項１〜請求項３の何れか１項に記載のダクト装置を用いてなることを特徴とする加熱調理器。
【発明の詳細な説明】
【技術分野】
【０００１】
本発明は例えば加熱調理器に組み込まれるロースターグリルの排気胴などとして好適に用いられるダクト装置、及びそのダクト装置を用いた加熱調理器に関するものである。
【背景技術】
【０００２】
電磁調理器などの加熱調理器において、グリルが組み込まれたものでは、グリル内で発生する煙を排煙するためにダクトが取り付けられる。ダクトは内部を高温の熱気が通過するために金属材が用いられ、通常、二部品から構成されている。そして、空気のスムーズな流れを実現するためにダクトの密閉性を確保することが重要となる。密閉性が低いと煙が漏れたり、逆にダクト内に空気が入り込むことによって排気の圧力損失が高くなる。また、周辺機器によるファンや誘導加熱装置の振動による二部品のびびり音を防止するためにガタを極力なくすような嵌合構造である必要がある。従来のものでは、板材の二部品を溶接する構造を採用したり、切り起こした係合体と板材に加工した穴によって嵌合する構造が採用されていた。
また、二部品の嵌合構造としては、基板に実装されているシールドケースにおいて、シールドベースに係合用突起が形成され、シールドカバーに突起が挿入される係合用穴部が形成され、ガタを抑制するようにしたものがある（例えば特許文献１参照）。
【先行技術文献】
【特許文献】
【０００３】
【特許文献１】特開２００７−２９９８１４号公報（第６〜９頁、図７）
【発明の概要】
【発明が解決しようとする課題】
【０００４】
上記のような従来技術においては、二部品を溶接する構造のダクトでは、密閉性も高くガタもない構造ではあるが、溶接という加工工程が必要であり、コストがアップするという課題があった。また、二部品を、板材から切り起こした係合体と穴によって嵌合する構造では、嵌合部に穴が存在することによって密閉性が低く、ガタも大きく騒音を発生し易いという課題があった。また、特許文献１のような技術は、精度の高い位置決めに有効ではあるが、目的効果上密閉性を高めることは困難である。
【０００５】
本発明は、上記のような従来技術の課題を解消するためになされたものであり、簡素な構成で密閉性が確保され、しかもガタが少なく容易に組み立てができるダクト装置及び加熱調理器を提供することを目的としている。
【課題を解決するための手段】
【０００６】
本発明に係るダクト装置は、ダクトを構成する第１の板材の所定部と第２の板材の所定部を相互に重合させたときに、該重合部分に設けた係止手段が上記第１及び第２の板材相互を係止することによって上記ダクトの枠構造を保持するようにしたダクト装置であって、上記係止手段を、上記第１及び第２の板材の一方における対向する相手側の板材の方向に突出された半球状の凸部と、上記相手側の板材における上記凸部に対応する位置に該凸部を受け容れる如く凹設され、該凸部と互いに係合する半球状の凹部によって構成したことを特徴とするものである。
また、本発明に係る加熱調理器は、加熱装置を有するロースターグリルの排気ダクトとして、上記ダクト装置を用いてなることを特徴とするものである。
【発明の効果】
【０００７】
本発明のダクト装置によれば、重合される板材相互の係止手段として、半球状の凸部と、該凸部に互いに係合する半球状の凹部を用いて構成したことにより、板材の係止部分に穴を設ける必要がなくなり密閉性が高められる。また、半球状の凹凸の傾斜面同士で位置決め固定されるのでガタを軽減でき、構造も簡素で組み立ても容易にできる。
また、本発明の加熱調理器によれば、ダクト装置の密閉性が向上することで空気の流れがスムーズになり、筐体内への煙の侵入を防止できるので、機器の劣化や汚れを抑制できる。また、周辺機器の振動によるびびり音を防止できる。
【図面の簡単な説明】
【０００８】
【図１】本発明の実施の形態１に係るダクト装置を用いた加熱調理器への組み込み用のロースターグリルを示す斜視図。
【図２】図１に示すロースターグリルが組み込まれた加熱調理器を示す斜視図。
【図３】図１に示されたダクト装置を示す分解斜視図。
【図４】図３のダクト装置の組立状態を示す斜視図。
【図５】図４に示すダクト装置の係止手段とその近傍を示す拡大断面図であり、図４のＶ−Ｖ線における矢視断面図に相当する。
【図６】本発明の実施の形態２に係るダクト装置の係止手段とその近傍を示す拡大断面図。
【発明を実施するための形態】
【０００９】
実施の形態１．
図１は本発明の実施の形態１に係るダクト装置を用いた加熱調理器への組み込み用のロースターグリルを示す斜視図、図２は図１のロースターグリルが組み込まれた加熱調理器を示す斜視図である。図において、誘導加熱方式の加熱調理器１は、上部が開口された箱状の本体部２と、周囲に枠材４が設けられ、本体部２の上部の開口部を覆って着脱可能に装着されたトッププレート（天板）３とを備えている。そして、トッププレート３上には、調理鍋等を載置する複数の載置部５ａ、５ｂ、５ｃ、火力表示部６ａ、６ｂ、６ｃ、液晶表示部７ａ、７ｂ、７ｃ、上面操作部９ａ等が設けられている。また、トッププレート３の奥側には吸気口８ａ、及び排気口８ｂがそれぞれ設けられている。
【００１０】
本体部２内には、載置部５ａ〜５ｃに対応された左電磁誘導加熱コイル、右電磁誘導加熱コイル及び中央ヒータ（例えばラジエントヒータ）からなる加熱部が設置されており、さらに、これら加熱部を制御する制御部、及び加熱部や制御部を冷却する冷却ファン等が設けられているが、これらについては何れも図示を省略する。また、本体部２の前面側には電源スイッチ等を有する正面操作部９ｂが設けられており、この正面操作部９ｂに隣接して本体部２の前面側にロースターグリル１０が設けられている。なお、ロースターグリルはグリルロースター、あるいはグリルなどとも称されるが、ここではロースターグリルと称するものとする。
【００１１】
ロースターグリル１０の後面部には、図１に示すように排煙のためのダクト装置２０が固定されている。ダクト装置２０は、流路断面が四角形の排気路が「Ｌ」字状に屈曲された形状をなしており、図３の分解斜視図に示すように、一般的には金属の薄板材からプレス加工によって形成された第１の板材であるダクトカバー２１と、第２の板材であるダクトケース２２によって構成されている。ダクトケース２２は断面四角形の排気路の３方の壁面を構成するように断面「コ」字状に形成されている。その開口端の外寸Ａ（図３に図示）は、断面四角形の排気路の残りの１方を塞ぐように形成されたダクトカバー２１の主面２１ａの両サイドに延出された延出辺部２１ｂの内寸Ｂと同一または加工誤差を加えた寸法だけ小さくなるように形成されている。
【００１２】
ダクト装置２０は、ダクトカバー２１をダクトケース２２に対して蓋を被せるように図３の破線矢印の方向に合体させることで、図４の斜視図のような外観に組み立てられる。このとき、ダクトケース２２の上記開口端近傍の外側表面における重合部２２ａと、ダクトカバー２１の上記延出辺部２１ｂが重合され、その重合部分には図５の拡大断面図に示すようにダクトカバー２１とダクトケース２２を相互に位置決め、固定するための係止手段３０が設けられている。
【００１３】
この発明の典型的な特徴部分である係止手段３０は、図５に示すように、ダクトケース２２における対向する相手側のダクトカバー２１の延出辺部２１ｂの方向に突出された半球状の凸部３１と、延出辺部２１ｂにおける上記凸部３１に対応する位置に該凸部３１を受け容れる如く凹設され、該凸部３１と互いに係合する半球状の凹部３２によって構成されている。この実施の形態１では、上記凸部３１の内周面の半径と上記凹部３２の内周面の半径は互いに略同一に形成されている。なお、図５の矢印Ｗは、ダクトを構成する第１の板材であるダクトカバー２１の所定部と第２の板材であるダクトケース２２の所定部を相互に重合させたときの重合部分の幅を示しており、この例では延出辺部２１ｂの長さに等しい寸法に形成されている。
【００１４】
また、延出辺部２１ｂの延出端部２１ｃは、図５に示すように外側に傾斜され、ダクトカバー２１をダクトケース２２に合体させる際に、延出端部２１ｃが両外側に広げられていることで係合し易くし、かつ、延出端部２１ｃが凸部３１の表面を滑らかに摺動しつつ、該凸部３１を通過する間、延出辺部２１ｂが弾性変形して一旦外側に広がり易くなるように構成されている。
【００１５】
次に、上記のように構成された実施の形態１の動作について説明する。上記係止手段３０を構成する半球状の凸部３１と凹部３２は、それぞれの内周面の半径が互いに同一に形成されていることにより、重合したときに図５の拡大断面図に示すように、凸部３１の基部周面に凹部３２の基部周面が乗り上げ、図５におけるＣ点とＤ点を通る円状の当接部で係止される。このとき、方向の異なる矢印Ｃ１、Ｄ１の方向に２部品に力が発生することによって、ガタのない構造が実現される。また、半球状の凸部３１と凹部３２によって構成された係止手段３０には、外気に連通する穴がないので、係止手段３０から排気ガスが漏れることがない。
【００１６】
上記のように、実施の形態１のダクト装置によれば、重合される板材相互の係止手段３０として、半球状の凸部３１と、該凸部３１に互いに係合する半球状の凹部３２を用いて構成したことにより、板材の係止部分に穴を設ける必要がなくなり密閉性が高められる。また、半球状の凹凸の傾斜面同士で位置決め、固定することができるのでダクトカバー２１とダクトケース２２がお互いに力が働きあうことによってガタを軽減でき、構造も簡素で組み立ても容易にできるという効果が得られる。また、生産工程での環境負荷も軽減できる。
【００１７】
また、本発明の加熱調理器によれば、ダクト装置２０の密閉性が向上することで空気の流れがスムーズになり、筐体内に煙が侵入したりすることが防止できるので機器の劣化や汚れを抑制できる。また、周辺機器の振動によるびびり音も防止できる。
【００１８】
なお、上記凸部３１の内周面の半径と上記凹部３２の内周面の半径は必ずしも同一でなくてもよく、例えば、凸部３１の外周面の半径と凹部３２の内周面の半径を等しくするなど、要するにダクトカバー２１とダクトケース２２が重合部において互いに係止される関係であれば良い。また、この例では係止手段３０を片側に３つずつ計６か所に設けているが、係止手段３０の設置数は特に限定されない。さらに、凹部３２と凸部３１の設置位置を逆にしても差し支えない。
【００１９】
実施の形態２．
図６は本発明の実施の形態２に係るダクト装置の係止手段とその近傍を示す拡大断面図である。なお、この実施の形態２は、第１、第２の板材相互の重合部と、該重合部分に設けた係止手段の構成を変更した他は上記実施の形態１と同様であり、図面においても同一または相当部分には同一符号を付している。図において、第２の板材であるダクトケース２２の重合部２２ａの先端部（図の上端部）は、第１の板材であるダクトカバー２１の主面２１ａの裏面２１ｄにＥ点で当接されている。そして、係止手段３０を構成する凸部３１と凹部３２とは、Ｆ点で当接している。
【００２０】
上記のように構成された実施の形態２においては、図６のようにダクトカバー２１とダクトケース２２が嵌合するときに、係止手段３０がＦ点で係合すると同時に、ダクトケース２２の重合部２２ａの先端部がダクトカバー２１の主面２１ａの裏面２１ｄにＥ点で当接することで、矢印Ｅ１、Ｆ１の互いに異なる方向に２部品に力が発生することによって、ガタが防止され、びびり音の発生が防止される。また、ダクトカバー２１とダクトケース２２がＥ点で当接されているので、隙間が減り密閉性が高められる。
上記のように実施の形態２によれば、ガタのない、かつ、密閉性の高い構造を実現することができるという効果が得られる。
【００２１】
なお、上記実施の形態では、ダクト装置２０として、流路がＬ字状に形成されている場合について説明したが、これに限定されないことは言うまでもなく、例えば直線状、あるいは曲線を含むものなど、種々の形状のものに適用できることは言うまでもない。また、加熱調理器は誘導加熱を利用したものについて例示したが、ガスや灯油、あるいはマイクロ波を用いるものなど、他の熱源を利用するものにも適用できる。
【符号の説明】
【００２２】
１  加熱調理器、  ２  本体部、  ３  トッププレート（天板）、  ８ａ  吸気口、  ８ｂ  排気口、  １０  ロースターグリル、  ２０  ダクト装置、  ２１  ダクトカバー（第１の板材）、  ２１ａ  主面、  ２１ｂ  延出辺部、  ２１ｃ  延出端部、  ２１ｄ  裏面、  ２２  ダクトケース（第２の板材）、  ２２ａ  重合部、  ３０  係止手段、  ３１  凸部、  ３２  凹部。
【図１】
2012127521.tif 000003
【図２】
2012127521.tif 000004
【図３】
2012127521.tif 000005
【図４】
2012127521.tif 000006
【図５】
2012127521.tif 000007
【図６】
2012127521.tif 000008